(57)【要約】【課題】ごみが出ることがなく簡単かつ確実に取付け作業ができるようにする。【解決手段】管継手部の配管部材の配管方向に長い折込部４と、この折込部を挟んで配置してある第１及び第２のカバー押さえ部５，６と、第１及び第２のカバー押さえ部５，６の双方を離脱可能に結合するための係止部１８及び係合部１９とからなり、第１及び第２のカバー押さえ部５，６は管継手部を被覆するための断熱カバー本体をその背面側から保持可能であると共に、上記配管方向の両側部に抜け止め歯１２，１３を設けてあり、第１のカバー押さえ部５に配管方向と交差する方向に連続して設けてある第３のカバー押さえ部７と、この第３のカバー押さえ部に折込部８を介して上記配管方向に接続して設けてある第４のカバー押さえ部９とを備えている。【選択図】　　　　図１２
2004144220.tif 000002
【特許請求の範囲】
【請求項１】
管継手部の配管部材の配管方向に沿って設けてある折込部と、この折込部を挟んで配置してある第１及び第２のカバー押さえ部と、上記第１及び第２のカバー押さえ部の双方を離脱可能に結合するための結合手段とを具備しており、
上記第１及び第２のカバー押さえ部は管継手部を被覆するための断熱カバー本体をその背面側から保持可能であると共に、上記配管方向の側部に抜け止め部を設けてある
ことを特徴とする管継手部の断熱カバー押さえ。
【請求項２】
抜け止め部は配管方向の両側部に設けてあることを特徴とする請求項１記載の管継手部の断熱カバー押さえ。
【請求項３】
第１及び第２のカバー押さえ部のいずれか一方に配管方向と交差する方向に連続して設けてある第３のカバー押さえ部と、この第３のカバー押さえ部に折込部を介して上記配管方向に接続して設けてある第４のカバー押さえ部とを備えており、上記第３及び第４のカバー押さえ部は、配管部材から立ち上がる立ち上り配管部材を被覆するための断熱カバー本体の突出部をその背面側から保持可能であると共に、上記配管方向と交差する方向の一側部に抜け止め部を設けてあることを特徴とする請求項１又は請求項２記載の管継手部の断熱カバー押さえ。
【請求項４】
抜け止め部は複数の抜け止め歯からなることを特徴とする請求項１、請求項２又は請求項３記載の管継手部の断熱カバー押さえ。
【請求項５】
結合手段は、第１のカバー押さえ部に設けてある係止部と、第２のカバー押さえ部に設けてあってかつ上記係止部に係合離脱可能である係合部とからなることを特徴とする請求項１乃至請求項４のいずれかに記載の管継手部の断熱カバー押さえ。
【請求項６】
第３及び第４のカバー押さえ部の双方を結合するための結合手段を備えており、この結合手段は、第３のカバー押さえ部に設けてある係止部と、第４のカバー押さえ部に設けてあってかつ上記係止部に係合離脱可能である係合部とからなることを特徴とする請求項１乃至請求項５のいずれかに記載の管継手部の断熱カバー押さえ。
【請求項７】
請求項１記載の断熱カバー押さえと、管継手部を被覆するための断熱カバー本体とからなり、
上記断熱カバー本体は、配管部材の配管方向に沿って設けてある折込部を挟んで第１のカバー本体と第２のカバー本体とが接続され互いに内側に折り曲げ可能であり、その背面側で上記断熱カバー押さえに保持されている
ことを特徴とする管継手部の断熱カバー。
【請求項８】
断熱カバー本体において、配管方向と交差する方向に第１及び第２のカバー本体のそれぞれに連続し、かつ配管部材から立ち上がる立ち上り配管部材を被覆するための第１及び第２の突出部を設けてあり、
断熱カバー押さえにおいて、一方の上記カバー押さえ部に配管方向と交差する方向に連続して設けてある第３のカバー押さえ部と、この第３のカバー押さえ部に折込部を介して上記配管方向に接続されている第４のカバー押さえ部とを備えており、上記第３及び第４のカバー押さえ部は上記第１及び第２の突出部のいずれか一方をその背面側から保持しており、上記配管方向と交差する方向の一側部に抜け止め部を設けてあることを特徴とする請求項７記載の管継手部の断熱カバー。
【請求項９】
断熱カバー本体は、その内面に管継手部の外形形状に対応した収納凹部が形成されていることを特徴とする請求項７又は請求項８記載の管継手部の断熱カバー。
【請求項１０】
断熱カバー押さえにおいて、抜け止め部は第１及び第２のカバー本体の配管方向の両側部に設けてあることを特徴とする請求項７、請求項８又は請求項９記載の管継手部の断熱カバー。
【請求項１１】
断熱カバー押さえにおいて、抜け止め部は複数の抜け止め歯からなることを特徴とする請求項７乃至請求項１０のいずれかに記載の管継手部の断熱カバー。
【請求項１２】
断熱カバー押さえにおいて、結合手段は、第１のカバー押さえ部に設けてある係止部と、第２のカバー押さえ部に設けてあってかつ上記係止部に係合離脱可能である係合部とからなることを特徴とする請求項７乃至請求項１１のいずれかに記載の管継手部の断熱カバー。
【請求項１３】
断熱カバー押さえにおいて、第３及び第４のカバー押さえ部の双方を結合するための結合手段を備えており、この結合手段は、第３のカバー押さえ部に設けてある係止部と、第４のカバー押さえ部に設けてあってかつ上記係止部に係合離脱可能である係合部とからなることを特徴とする請求項７乃至請求項１２のいずれかに記載の管継手部の断熱カバー。
【発明の詳細な説明】
【０００１】
【発明の属する技術分野】
この発明は、水道管や給湯管などの管継手部を覆う配管断熱カバーを押さえるカバー押さえ及び断熱カバーに関するものである。
【０００２】
【従来の技術】
給湯管などの管継手部における放熱防止手段として、例えば実開平５−７９１９４号公報に記載の配管部材用保温カバーが提案されている。この保温カバーは直線形又はＴ字形に形成された１組の保温カバー材と接着用パッキングとを組合せたものである。双方の保温カバー材の分割面に互いに嵌合するように段差部を形成し、この段差部の凹面に接着パッキング材を貼着するものである。この保温カバーを配管の管継手部に取付けるには、保温カバー材の分割面に接着用パッキング材を貼着し、１組の保温カバー材でその両側から管継手部を挟んで保温カバー同士を分割面で突き合せ、管継手部を覆った状態で、接着用パッキング材の接着力により両保温カバー材を一体化するものである。
【０００３】
【発明が解決しようとする課題】
従来例によると、１組の保温カバー材同士を突き合わせした分割面に段差が生ずることがない利点はあるものの、独立して１組の保温カバー材を突き合わせる作業に手間と時間がかかる課題があった。
この課題を解決するものとして、工事現場では断熱材を予め中央より折込み可能とし、内部に管継手部を包み込み可能の保持凹部を成形した断熱カバーが使用されている。この断熱カバーの使用方法については、断熱カバーを中央より内側に折曲げて、管継手部の下側から上側に向けて管継手部を被覆し、管継手部全体の外側を完全に覆った後、断熱カバーの外側の複数箇所をプラスチック製糸で巻いて固定するものである。
この断熱カバーによれば、プラスチック製糸を巻き付ける強度にばらつきが生じ、取付けに不安定個所が残り、断熱が不充分な個所が発生し、長時間の締め込み作業による作業者の負担が大きく、さらにプラスチック製糸の不要部分のごみが出る課題があった。
この発明の目的は、ごみが出ることがなく簡単かつ確実に取付け作業ができるようにすることにある。
【０００４】
【課題を解決するための手段】
この発明の管継手部の断熱カバー押さえは、管継手部における配管部材の配管方向に沿って設けてある折込部と、この折込部を挟んで配置してある第１及び第２のカバー押さえ部と、上記第１及び第２のカバー押さえ部の双方を離脱可能に結合するための結合手段とを具備しているものである。上記第１及び第２のカバー押さえ部は管継手部を被覆するための断熱カバー本体をその背面側から保持可能であると共に、上記配管方向の片側又は両側の側部に抜け止め部を設けてある。管継手部が例えばＴ形である場合には、第１及び第２のカバー押さえ部のいずれか一方（例えば第１のカバー押さえ部）に配管方向と交差する方向に連続して設けてある第３のカバー押さえ部と、この第３のカバー押さえ部に折込部を介して上記配管方向に接続して設けてある第４のカバー押さえ部とを備え、上記第３及び第４のカバー押さえ部は、配管部材から立ち上がる立ち上り配管部材を被覆するための断熱カバー本体の突出部をその背面側から保持可能であると共に、上記配管方向と交差する方向の一側部に抜け止め部を設ける。第３及び第４のカバー押さえ部を備えているものにあっては、その双方を結合するための結合手段を備える。
この発明の管継手部の断熱カバーは、上記断熱カバー押さえと、管継手部を被覆するための断熱カバー本体とからなるものである。上記断熱カバー本体は、配管部材の配管方向に長い折込部を挟んで第１のカバー本体と第２のカバー本体とが接続され互いに内側に折り曲げ可能であり、その背面側で上記断熱カバー押さえに保持されている。管継手部が例えばＴ形である場合には、断熱カバー本体に、配管方向と交差する方向に第１及び第２のカバー本体のそれぞれに連続し、かつ配管部材から立ち上がる立ち上り配管部材を被覆するための第１及び第２の突出部を設けてある。断熱カバー押さえにおいて、一方の上記カバー押さえ部に配管方向と交差する方向に連続して設けてある第３のカバー押さえ部と、この第３のカバー押さえ部に折込部を介して上記配管方向に接続されている第４のカバー押さえ部とを備えている。上記第３及び第４のカバー押さえ部は上記第１及び第２の突出部のいずれか一方をその背面側から保持してあり、上記配管方向と交差する方向の一側部に抜け止め部を設けてある。管継手部に対する安定した取付けをするために、例えば断熱カバー本体の内面に管継手部の外形形状に対応した収納凹部が形成されているのが良い。
【０００５】
【作用】
断熱カバー本体が管継手部を被覆して、断熱又は保温機能が発揮され、その背面側から断熱カバー押さえで断熱カバー本体を安定して保持でき、抜き止め部で断熱カバーの取付けが強化される。
【０００６】
【発明の実施の形態】
この発明に係る管継手部の断熱カバー押さえを断熱カバーと共に、図面を参照して説明する。
図１乃至図１１に示す管継手部の断熱カバー１は、Ｔ形の管継手部Ｊ（図９）を被覆するために用いられ、断熱カバー押さえ２と、この断熱カバー押さえの内側に配置してある断熱カバー本体３とを組み合わせているものである。
まず、断熱カバー押さえ２について説明する。
断熱カバー押さえ２は、図１〜図３及び図１２に示すように、折込部４と、この折込部を挟んで配置してある第１及び第２のカバー押さえ部５，６と、一方のカバー押さえ部（図示の例では第１のカバー押さえ部５）に連続して設けてある第３のカバー押さえ部７と、この第３のカバー押さえ部に折込部８を介して接続されている第４のカバー押さえ部９とから構成されているものである。断熱カバー押さえ２の各構成素子４〜９は、プラスチック部材によって一体的に成形されている。
折込部４は薄肉に形成され、管継手部Ｊにおける配管部材である給湯管Ｐ１（図９）の配管方向（図１２の左右方向）に沿って長い。
第１及び第２のカバー押さえ部５，６は断熱カバー本体３を保持するための保持凹部１０，１１が形成されている。各保持凹部１０，１１の底部に対の平面四角形状の開口１０ａ，１１ａがそれぞれ開けられている。第１及び第２のカバー押さえ部５，６は上記配管方向の両側部に抜け止め部である抜け止め歯１２，１３を設けてある。抜け止め歯１２，１３は給湯管Ｐ１を覆う別の配管部材であるプラスチック製さや管Ｐ１１の外周面に食い込み可能である（図１０）。第２のカバー押さえ部６の配管方向の側面に後述する断熱カバー本体３の第２の突出部２５ａの位置決め溝部６ａを切欠いてある（図４及び図５）。
第３のカバー押さえ部７は、上記配管方向と交差する方向（図１及び図１２上下方向）にかつ第１のカバー押さえ部５に連続して設けられている。第４のカバー押さえ部９は、第３のカバー押さえ部７に薄肉の折込部８を挟んで上記配管方向に接続して設けられている。第３及び第４のカバー押さえ部７，９は断熱カバー本体３の第１及び第２の突出部２４ａ，２５ａ（図１及び図６）を保持するための保持凹部１４，１５が形成されている。各保持凹部１４，１５の底部に対の平面四角形状の開口１４ａ，１５ａがそれぞれ開けられている。第３及び第４のカバー押さえ部７，９は上記配管方向の側部に抜け止め部である抜け止め歯１６，１７を設けてある（図５）。抜け止め歯１６，１７は管継手部Ｊにおける立ち上がり配管部材である給湯管Ｐ２を覆う別の配管部材であるプラスチック製さや管Ｐ２１の外周面に食い込み可能である（図９及び図１１）。
図７及び図８に示すように、第１のカバー押さえ部５と第２のカバー押さえ部６とはヒンジとなる折込部４を中心として内側に畳まれて互いに対向状態で突き合わせ可能である。突き合わされた状態では両保持凹部１０，１１が給湯管Ｐ１及びこれを覆っているさや管Ｐ１１を抱合可能な断面形状になり、管継手部Ｊの水平部分を被覆可能となる（図９及び図１０）。第１のカバー押さえ部５と第２のカバー押さえ部６とは、突き合わされた状態で結合手段を構成する係止部１８と係合部１９とによって互いに離脱可能に結合される。
図１２乃至図１４に示すように、係止部１８は第１のカバー押さえ部５の側面（図１２下面）に第３のカバー押さえ部７を挟んで設けてある。係止部１８は、図１２に示す例ではＬ形に形成されている。係合部１９は第２のカバー押さえ部６の側面（図１２上面）に、各係止部１８と対向位置関係に設けてある。係合部１９の先端部にフック１９ａを形成してある。第１のカバー押さえ部５と第２のカバー押さえ部６とが互いに折り畳まれた時、各係合部１９は各係止部１８の隙間１８ａに差込まれて、フック１９ａを介して係止部と離脱可能に係合される。また図７及び図８に示すように、第３のカバー押さえ部７と第４のカバー押さえ部９とは、ヒンジとなる折込部８を中心として内側に畳まれて互いに対向状態で突き合わせ可能である。突き合わされた状態では、図１１に示すように両保持凹部１４，１５が立ち上がる給湯管Ｐ２及びこれを覆っているさや管Ｐ２１を抱合可能な断面形状になり、管継手部Ｊの立ち上り部分を被覆可能となる。第３のカバー押さえ部７と第４のカバー押さえ部９とは、突き合わされた状態で結合手段を構成する係止部２１と係合部２２とによって互いに離脱可能に結合される。図１２に示すように、係止部２１は第３のカバー押さえ部７の側面（同図右側面）に設けてあり、また係合部２２は第４のカバー押さえ部９の側面（左側面）に、各係止部２１と対向位置関係に設けてある。
係止部２１及び係合部２２の各構成は前記係止部１８及び係合部１９と同一であるので、その詳細な説明は省略する。
【０００７】
断熱カバー本体３について説明する。
図１乃至図４及び図１５に示すように、断熱カバー本体３は発泡プラスチックによって形成されており、中央部にはこれを横断するように配管方向（図１５左右方向）に沿って薄肉の折込部２３を設けてある。断熱カバー本体３は折込部２３を挟んで第１のカバー本体２４と第２のカバー本体２５とからなり、両カバー本体は折込部２３を中心として内側へ折り畳み可能である。断熱カバー本体３における第１及び第２のカバー本体２４，２５の内面にそれぞれ管継手部Ｊの外形形状にほぼ対応する内部形状に形成されている収納凹部２６，２７がそれぞれ設けられており、各収納凹部の形状は図１５に示す例ではＴ形となっている。断熱カバー本体３の使用時には、収納凹部２６，２７が互いに対向して合わされて、その内部で管継手部Ｊの水平部分及び垂直部分（立ち上がり部分）を被覆することができる。
【０００８】
次に、管継手部の断熱カバー１の使用法について説明する。
図１及び図２に示す断熱カバー１内に管継手部Ｊを配置して、配管部材Ｐ１，Ｐ１１及びＰ２，Ｐ２１の端部を収納凹部２６，２７に対応させた状態にし、第１のカバー押さえ部５と第２のカバー押さえ部６を折込部４を中心として内側に折り畳んで、収納凹部２６，２７内に配管部材Ｐ１，Ｐ１１及びＰ２，Ｐ２１の端部を納める。そして図９乃至図１１に示すように、係止部１８と係合部１９とを係合させることによって第１のカバー押さえ部５と第２のカバー押さえ部６との突き合わされた上端部間は結合される。この結合によって、管継手部Ｊの水平部分は断熱カバー本体３によって被覆され、断熱カバー本体がその背面側から第１及び第２のカバー押さえ部５，６によって保持されるので、被覆状態が安定したものとなる。その後、第４のカバー押さえ部９を折込部８を中心として内側に折り畳んで、第３のカバー押さえ部７と共に配管部材Ｐ２，Ｐ２１を挟み、係止部２１と係合部２２とを係合させることによって第３のカバー押さえ部７と第４のカバー押さえ部９との上端部間は互いに突き合わされた状態で結合される。
この結果、Ｔ形の管継手部Ｊは断熱カバー１によって完全に被覆され、管継手部Ｊの断熱効果又は保温効果が発揮される。
断熱カバー１は、第１のカバー押さえ部５と第２のカバー押さえ部６との結合時に、そして第３のカバー押さえ部７と第４のカバー押さえ部９との結合時に、図１０に示すように抜き止め歯１２と抜き止め歯１３とが互いに対向した状態でさや管Ｐ１１に食い込み、また図１１に示すように抜き止め歯１６と抜き止め歯１７とが互いに対向した状態でさや管Ｐ２１に食い込むので、断熱カバー１の取り付け状態がより一層強化され、確実な取付けが図られる。
【０００９】
管継手部の断熱カバー押さえ及び断熱カバーの他の実施の形態を図１６乃至図１８を参照して説明する。
断熱カバー１Ａは、断熱カバー押さえ２Ａと断熱カバー本体３Ａとからなるものであり、直線形の管継手部（図示せず。）を被覆するために用いられる。このために、図１６及び図１７に示す断熱カバー押さえ２Ａは前記断熱カバー押さえ２のような第３及び第４のカバー押さえ部７，９及び位置決め溝部６ａを設けていない。同様に、図１８に示す断熱カバー本体３Ａは前記断熱カバー本体３のような第１及び第２の突出部２４ａ，２５ａを設けておらず、そして収納凹部２６Ａ，２７Ａの内面形状もＴ形ではなく直線形となっている。
断熱カバー押さえ２Ａ及び断熱カバー本体３Ａの各構成は、上記相違点を除いて前記断熱カバー押さえ２及び断熱カバー本体３と実質的に同一の構成と作用を有する。このために、図示する断熱カバー押さえ２Ａ及び断熱カバー本体３Ａに使用する符号は、断熱カバー押さえ２及び断熱カバー本体３と同一構成である部分についてこの断熱カバー押さえ２及び断熱カバー本体３の符号と一致させている。
断熱カバー１Ａの使用時には断熱カバー押さえ２Ａの第１及び第２のカバー押さえ部５，６を管継手部の配管部材の端部を挟むようにして折り曲げて、収納凹部２６Ａ，２７Ａ内で管継手部を被覆して、係止部１８と係合部１９とを係合させて、第１及び第２のカバー押さえ部５，６間を結合させる。
【００１０】
断熱カバー１，１Ａにおいて、断熱カバー押さえ２，２Ａと断熱カバー本体３，３Ａとをそれぞれ分離不能に一体的に設けても良い。
断熱カバー１において、第４のカバー押さえ部９を第３のカバー押さえ部７から独立させ、第２のカバー押さえ部６の位置決め溝部６ａ側に配置して、第３のカバー押さえ部と対向させるようにしても良い。
【００１１】
【発明の効果】
この発明の管継手部の断熱カバー押さえによれば、断熱カバー本体を確実に保持できると共に、管継手部への取付けが安定することができ、断熱カバーによれば従来のように糸を用いないのでごみが出ることがなく簡単かつ確実に取付け作業ができる。
【図面の簡単な説明】
【図１】この発明の管継手部の断熱カバーを示す正面図である。
【図２】図１の側面図である。
【図３】図１のＩＩＩ−ＩＩＩ線断面図である。
【図４】図１のＩＶ−ＩＶ線断面図である。
【図５】図１の底面図である。
【図６】図１のＶＩ−ＶＩ線断面図である。
【図７】断熱カバーを中心より折り曲げた状態を示す側面図である。
【図８】図７の側面図である。
【図９】この発明の管継手部の断熱カバーの使用状態を示す一部切欠側面図である。
【図１０】図９のＸ−Ｘ線断面図である。
【図１１】図９のＸＩ−ＸＩ線断面図である。
【図１２】この発明の管継手部の断熱カバー押さえを展開した状態を示す正面図である。
【図１３】係止部と係合部との結合状態を示す拡大側面図である。
【図１４】図１３のＸＩＶ−ＸＩＶ線断面図である。
【図１５】この発明の管継手部の断熱カバーの本体を展開した状態を示す正面図である。
【図１６】この発明の管継手部の断熱カバーの他の形態を示す正面図である。
【図１７】図１６に示す断熱カバーに用いている断熱カバー押さえを展開した状態を示す正面図である。
【図１８】図１６に示す断熱カバーに用いている断熱カバー本体を展開した状態を示す正面図である。
【符号の説明】
１，１Ａ　　　　　断熱カバー
２，２Ａ　　　　　断熱カバー押さえ
３，３Ａ　　　　　断熱カバー本体
４　　　　　　　　折込部
５　　　　　　　　第１のカバー押さえ部
６　　　　　　　　第２のカバー押さえ部
７　　　　　　　　第３のカバー押さえ部
８　　　　　　　　折込部
９　　　　　　　　第４のカバー押さえ部
１２，１３　　　　抜け止め歯（抜け止め部）
１６，１７　　　　抜け止め歯（抜け止め部）
１８　　　　　　　係止部（結合手段）
１９　　　　　　　係合部（結合手段）
２１　　　　　　　係止部（結合手段）
２２　　　　　　　係合部（結合手段）
２３　　　　　　　折込部
２４　　　　　　　第１のカバー本体
２４ａ　　　　　　第１の突出部
２５　　　　　　　第２のカバー本体
２５ａ　　　　　　第２の突出部
２６，２７　　　　収納凹部
２６Ａ，２７Ａ　　収納凹部
Ｊ　　　　　　　　管継手部
Ｐ１　　　　　　　給湯管（配管部材）
Ｐ１１　　　　　　さや管（配管部材）
Ｐ２　　　　　　　給湯管（配管部材）
Ｐ２１　　　　　　さや管（配管部材）
【図１】
2004144220.tif 000003
【図２】
2004144220.tif 000004
【図３】
2004144220.tif 000005
【図４】
2004144220.tif 000006
【図５】
2004144220.tif 000007
【図６】
2004144220.tif 000008
【図７】
2004144220.tif 000009
【図８】
2004144220.tif 000010
【図９】
2004144220.tif 000011
【図１０】
2004144220.tif 000012
【図１１】
2004144220.tif 000013
【図１２】
2004144220.tif 000014
【図１３】
2004144220.tif 000015
【図１４】
2004144220.tif 000016
【図１５】
2004144220.tif 000017
【図１６】
2004144220.tif 000018
【図１７】
2004144220.tif 000019
【図１８】
2004144220.tif 000020